(57)【要約】モジュラーワークシステムは、内側側壁において台に取り付けられた高くて細い衣装ダンスを有する。台は、棚又は引き出しのための内側収納スペースを有する。ワーク表面がダイの上部壁に備えられ、台より広く伸び、反対側の端部で垂直サポートにより支持される。ワーク壁アセンブリは、ワーク表面の上の衣装ダンス内側側壁に位置決めされる。それに代えて、収納キャビネット又は本棚が台上部壁に設置されてもよい。従って、モジュラーワークシステムは、そのスペースに含まれる特徴の観点から小さくコンパクトなフットプリントを有する。
2008543431.tif 000002
【特許請求の範囲】
【請求項１】
内側収容スペース、内側側壁、上部壁及び外側側壁を有する第１収容モジュールと、
ワーク表面高さにある第１収容モジュールの上部壁に設置されたワーク表面と、
内側側壁、上部壁及び外側側壁を有する第２収容モジュールと、を有し、
第２収容モジュールの内側側壁は第１収容モジュールの内側側壁に当接し、第２収容モジュールの上部壁の高さがワーク表面高さより高いモジュラーワークシステム。
【請求項２】
ワーク表面の上に第２収容モジュールの内側側壁に取り付けられたワーク壁アセンブリをさらに有する、請求項１に記載のモジュラーワークシステム。
【請求項３】
内側収容スペースが引き出しを有する、請求項１に記載のモジュラーワークシステム。
【請求項４】
内側収容スペースが棚を有する、請求項１に記載のモジュラーワークシステム。
【請求項５】
所望の高さにワーク表面を有する机モジュールと、机モジュールに隣接する衣装ダンスモジュールを有し、
ワーク表面は、前面、後面、２つの側面を有し、机モジュールは２つの側面の少なくとも一方に垂直サポートを有し、衣装ダンスモジュールは机モジュールの２つの側面の他方に当接するモジュラーワークシステム。
【請求項６】
机モジュールが机モジュールの２つの側面の他方において内側収容スペースを画定する台で支持される、請求項５に記載のモジュラーワークシステム。
【請求項７】
内側収容スペースが引き出しを有する、請求項６に記載のモジュラーワークシステム。
【請求項８】
内側収容スペースが棚を有する、請求項６に記載のモジュラーワークシステム。
【請求項９】
衣装ダンスが、ワーク表面高さより高い衣装ダンス高さを有し、ワーク表面の上の衣装ダンスの内側側壁にワーク壁アセンブリをさらに有する、請求項５に記載のモジュラーワークシステム。
【請求項１０】
内側収容スペース、内側側壁、上部壁及び外側側壁を有する第１収容モジュールと、
内側側壁、上部壁及び外側側壁を有する第２収容モジュールと、
衣装ダンスとほぼ同じ高さを有する、第１収容モジュールの上部壁に取り付けられた第３収容モジュールと、を有し、
第２収容モジュールの内側側壁が第１収容モジュールの内側側壁に当接し、第２収容モジュールの上部壁の高さがワーク表面高さより高いモジュラーワークシステム。
【請求項１１】
内側収容スペースが引き出し又は棚の１つを有する、請求項１０に記載のモジュラーワークシステム。
【請求項１２】
第２収容モジュールが衣装ダンスである、請求項１０に記載のモジュラーワークシステム。
【請求項１３】
第３収容モジュールが収容キャビネット又は本棚の１つである、請求項１０に記載のモジュラーワークシステム。
【請求項１４】
第３収容モジュールの幅が第１収容モジュールの幅とほぼ同じである、請求項１０に記載のモジュラーワークシステム。
【請求項１５】
第１収容モジュールの奥行、第２収容モジュールの奥行及び第３収容モジュールの奥行がほぼ同じである、請求項１０に記載のモジュラーワークシステム。
【発明の詳細な説明】
【技術分野】
【０００１】
本発明は、ワークシステム、より具体的には細い衣装ダンスを備えたモジュラーワークシステムに関し、基本作業やオフィス特徴の全てを有するコンパクトだが安定したワークシステムを創出することである。
【発明の開示】
【発明が解決しようとする課題】
【０００２】
作業スペースが非常に高額なところでは、完全に特徴付けられた作業スペースに通常の設備を提供することが望ましい。しかしながら、これは一般的なオフィス用具では困難である。
【課題を解決するための手段】
【０００３】
ここで説明するのは、小さいフットプリント（足跡）を有し、安定した、非常に用途が多いが、完全な作業環境にとって一般的に本質的と考えられる特徴を備えたモジュラーワークシステムである。
【０００４】
本発明及びその他の目的、利点及び特徴は、本発明に関連する技術分野の当業者又はこれに最も近くに関連するものが米国特許法（３５Ｕ．Ｓ．Ｃ、セクション１２、第１パラグラフ）に従いこれと同等なものを完成し利用できる完全、明瞭、簡潔及び正確な用語で表された、本発明の文書説明を与える明細書及び本発明を完成し利用する態様・方法から完全に理解されよう。さらには、付属の図面と関連した本発明の好ましい実施形態の以下の説明は、前記米国特許法に従い本発明の例を表すが、本発明自体はクレーム部分で定義される。
【発明を実施するための最良の形態】
【０００５】
本発明は様々な変形例及び代替構造を明らかにするが、それらの発明を実現するのに本発明者が熟慮したベストモードを表す好ましい実施形態を図面の様々な図に示し、前記米国特許法に従い詳細に説明する。しかし、本発明は、ここで開示された特定の実施形態、形式又は例には限定されないことを理解されたい。逆に、本発明は、米国特許法（３５Ｕ．Ｓ．Ｃ、セクション１２、第２パラグラフ）に従い、ここに付属されるクレーム部分に表されるように本発明の精神及び範囲を逸脱することなく全ての変形例、等価な構造・方法及び別な構造をカバーするものである。
【０００６】
幾つかのモジュラーワークシステム１０，１２，１４，１６，１８，２０が図１〜７に示される。それぞれの実施形態では、細いタワー又は衣装ダンス２２，２４，２６，２８，３０，３２がある。それぞれの衣装ダンスは、前ドア３４，３６，３８，４０，４２，４４、上部壁又はキャップ４６，４８，５０，５２，５４，５６、図７のシステム２０の外側側壁５８などの外側側壁、システム２０の後部壁６０などの後部壁、及びシステム２０の内側側壁６２などの内側側壁を有する。図１，２におけるハンドル又は「Ａ」ドア引き手６４、図３，４における短い窪み又は「Ｎ」ドア引き手６６、図５，６における長い窪み又は「Ｒ」ドア引き手６８の、３つのバリエーションのドア引き手がある。
【０００７】
それぞれの衣装ダンスに取り付けられているのは、台７０，７２，７４，７６，７８，８０である。それぞれの台は、複数の引き出し８２，８４，８６，８８，９０，９２（２又は３の引き出しが示されている）、内側側壁又は衣装ダンスに当接するフレーム部材（図示せず）、上部壁又はキャップ９４，９６，９８，１００，１０２，１０４、後部壁又はコーベン１０６，１０８，１１０，１１２，１１４，１１６及び外側側壁１１８，１２０，１２２，１２４，１２６，１２８を有している。螺子などの留め具（図示せず）は、各台を対応する衣装ダンスに取り付けるのに使用される。ワーク表面又はスペーサ１３０，１３２，１３４，１３６，１３８，１４０がそれぞれの台の上部壁に設置される。
【０００８】
図示されるように、それぞれの台は衣装ダンスのドア引き手に合った引き出し引き手を有する。収納台が引き出しを有する台に代えて使用されてもよい。収納台は、本質的に引き出し台と同じ外形を有するが、１つ又は複数の棚を備えた内部に通じるドアを有する。
【０００９】
衣装ダンスはシートメタルでできてもよく、約９インチの幅、約２４インチの奥行、約６４インチの高さを有する。台もシートメタルでできてもよく、約１５インチの幅、約２４インチの奥行、約２４．７５インチの高さを有する。衣装ダンス／台の組み合わせのフットプリントは、約２４インチの前寸法と約２４インチの奥行寸法を有すると認識される。これは、そのスペースに含まれる特徴、すなわち衣装ダンス構造、文書保管構造及びワークスペースの観点から、小さくコンパクトなフットプリントであると好ましい。
【００１０】
ワーク壁アセンブリ１５０，１５２，１５４，１５６，１５８，１６０は、衣装ダンスの各内側側壁に取り付けられる。図７に最も明瞭に示されるように、２つのスチールストリップ１６２，１６４は溶接などにより衣装ダンスの内側側壁６２に固着され、一組のアルミニウム押出品１６６，１６８が当該ストリップに締結され、審美的な観点からアセンブリを整えるべき場所に仕上げパネル１７０が入れられる。押出品は、螺子１７２，１７４などの螺子により締結される。押出品は一連の整列したブラケット受容スロットを有し、垂直に配置された壁カバー１７６などの様々なワーク関連アクセサリーの取り付けが可能になる。以下に説明するように、付加的なアクセサリーが図８に示される。押出品は、仕上げパネル１７０を受容・保持するための細長い凹部１７８，１８０を有する。壁カバーは、奥行約１インチ、幅約２４インチ、高さ約３６インチのタックボードである。
【００１１】
ワーク表面又はスペーサ１３０，１３２，１３４，１３６，１３８，１４０は、ワイヤ開口１８２，１８４，１８６，１８８，１９０，１９２をそれぞれ有し、約１．５インチの高さである。台とワーク表面又はスペーサの全高さは約２８．２５インチである。
【００１２】
台を衣装ダンスに取り付けることで、当該組み合わせは、単独で立つ細い衣装ダンス構造よりもかなり安定する。しかしながら、当該組み合わせは非常にコンパクトであり、小さいフットプリントを有する。垂直パネルと壁カバーを衣装ダンスの側壁に取り付けることで、一般的に備えられるベーシックなワーク若しくはオフィス特徴の全てを有する完全なワークシステムが得られる。当該システムはコンパクトで安定しており、さらに審美的に訴え、以下に説明するように他のオフィスタイプ家具又は他のモジュールと共に使用されてもよい。
【００１３】
別な実施形態又はバリエーションのモジュラーワークシステム２００が図８に示されており、衣装ダンス２０２と連結台２０４を有している。当該システムは延びたワーク表面又は机２０６と机サポート２０８も有する。当該机は、一方の端部部分２１０において台の頂上でスペーサ２１２に、反対側の端部部分２１４において机サポートに設置される。机の上部表面２１６は、約６２インチの長さ、約２４インチの奥行、約２７．５インチの高さである。机サポートはコラムでもレッグでもよく、机の形状は反対側の端部部分において丸くても、図示のように真っ直ぐでもよい。図８に示されるモジュールワークシステムは、適度に大きい机を有する、全てのワークスペースの特徴を有する完全なワークステーションであるが、当該システムはやはり非常にコンパクトである。衣装ダンスを有しても、多数のワーク機能のための適度な量の机スペースがあるが、衣装ダンス／台のフットプリントは非常に小さく、２４×２４インチである。
【００１４】
ワーク壁アセンブリは衣装ダンスの内側側壁に取り付けられる。押出品のスロットを用いて、棚２２０は衣装ダンスの上部近くに設置され、タックボード２２２は棚の下に設置され、紙管理トレー２２４はタックボードの下に設置される。机に居る作業者及び／又は為される作業のタイプの必要に応じて前述したものに代えて、他のアクセサリーが設置されてもよい。
【００１５】
図９〜１４では、６つの別なバリエーションのシステムが示されており、衣装ダンス２４２，２４４，２４６，２４８，２５０，２５２と、台２５４，２５６，２５８，２６０，２６２，２６４をそれぞれ有する。留め具（図示せず）により台と衣装ダンスの両方に結合した収納キャビネット２６６，２６８，２７０，２７２，２７４，２７６も含まれる。各収納キャビネットはそれが設置されている台と同じ幅であり、収納キャビネットが取り付けられた衣装ダンスと台の差と同じ高さである。収納キャビネットは台と衣装ダンスと同じ奥行であり、対応する台と衣装ダンスと同じタイプの引き手を有する。
【００１６】
図１５に示されているのは、図１３に示された衣装ダンス、台及び収納キャビネットの拡大された鏡像バリエーション２８０である。鏡像システムの提供はモジュールの多用途をもたらすが、前述の２４×２４インチのフットプリントから逸脱しない。
【００１７】
図１６〜１８では、基本的な衣装ダンスと台の組み合わせの３つのバリエーション２８２，２８４，２８６が示されている。しかしながら、収納キャビネットに代えて、それぞれの台に設置された本棚２８８，２９０，２９２がある。当該本棚は側面が開いており、衣装ダンス、台及び本棚の組み合わせは、例えば机又はリターンと並べて利用できる。それぞれの本棚は、２つの側壁２９４，２９６，２９８，３００，３０２，３０４、上部壁３０６，３０８，３１０、下部壁３１２，３１４，３１６、後部壁３１８，３２０，３２２及び３つの棚３２４，３２６，３２８，３３０，３３２，３３４，３３６，３３８，３４０を有する。螺子３４２，３４４などの留め具は本棚を台に取り付けるのに使用され、別な螺子３４６，３４８も本棚を衣装ダンスに取り付けるのに使用される。側壁の内側には、スタンダード３５０，３５２，３５４，３５６，３５８，３６０などの２組の溝つきスタンダードがあり、棚の垂直方向の調節が可能になる。
【００１８】
本棚の外側寸法は収納キャビネットのそれと適合し、前述のように同じ前寸法及び奥行寸法、同じ衣装ダンス・台コンビネーションのフットプリントを有する。側壁は約１５インチの広さであり、開口は約２４インチであり、本棚の高さは３７．５インチである。例えば、本棚の下側棚が調節されて棚と隣接するワーク表面とが整列されるので、台の上部にスペーサを置く必要はないことを付言しておく。様々な製造業者が机及び様々な高さの他のワーク表面を作成するので、この多用途が必要とされる。
【００１９】
図１９，２０のバリエーションは、衣装ダンス、台及び本棚のシステムモジュール３７０，３７２である。図１９のバリエーションは、図１８に示されるバリエーション２９２と同様であるが、幾らかより上昇位置にある下側棚３７４を有する。図２０のバリエーションは、図１９に示されるものと同様な衣装ダンス、台及び本棚の鏡像組み合わせである。
【００２０】
前記の説明は、本発明の幾つかの好ましい実施形態を記述する。他の例、実施形態、変形及びバリエーションも、クレームの文言及び均等の原則の下で本発明の範囲に含まれる。例えば、既に示された収納モジュール又は本棚をミックスし、マッチングすることは均等と考えられ、様々な形状・サイズ及び様々なサポートの机又はワーク表面と衣装ダンス／台のコンビネーションの使用も均等と考えられる。他の代替も多数の新たな技術と同様に均等である。
【図面の簡単な説明】
【００２１】
【図１】衣装ダンスと台の組み合わせの等角投影図である。
【図２】衣装ダンスと台の組み合わせの変形例の等角投影図である。
【図３】衣装ダンスと台の組み合わせの別な変形例の等角投影図である。
【図４】衣装ダンスと台の組み合わせのさらに別な変形例の等角投影図である。
【図５】衣装ダンスと台の組み合わせのまた別な変形例の等角投影図である。
【図６】衣装ダンスと台の組み合わせの別な変形例の等角投影図である。
【図７】図６のライン７−７に沿って得られる断面図である。
【図８】衣装ダンスと台の組み合わせと机の等角投影図である。
【図９】衣装ダンス、台及び収納戸棚の組み合わせの等角投影図である。
【図１０】衣装ダンス、台及び収納戸棚の組み合わせの変形例の等角投影図である。
【図１１】衣装ダンス、台及び収納戸棚の組み合わせの別な変形例の等角投影図である。
【図１２】衣装ダンス、台及び収納戸棚の組み合わせのまた別な変形例の等角投影図である。
【図１３】衣装ダンス、台及び収納戸棚の組み合わせのさらに別な変形例の等角投影図である。
【図１４】衣装ダンス、台及び収納戸棚の組み合わせの別な変形例の等角投影図である。
【図１５】図１３に示される組み合わせの鏡像の拡大等角投影図である。
【図１６】衣装ダンス、台及び本棚の組み合わせの等角投影図である。
【図１７】衣装ダンス、台及び本棚の組み合わせの変形例の等角投影図である。
【図１８】衣装ダンス、台及び本棚の組み合わせの別な変形例の等角投影図である。
【図１９】下側棚の上昇した、図１８に示された衣装ダンス、台及び本棚の組み合わせの拡大等角投影図である。
【図２０】図１９に示された組み合わせの鏡像の拡大等角投影図である。
【符号の説明】
【００２２】
１０，１２，１４，１６，１８，２０  モジュラーワークシステム
２２，２４，２６，２８，３０，３２  衣装ダンス
３４，３６，３８，４０，４２，４４  前ドア
４６，４８，５０，５２，５４，５６  上部壁又はキャップ
５８  外側側壁
６０  後部壁
６２  内側側壁
７０，７２，７４，７６，７８，８０  台
８２，８４，８６，８８，９０，９２  引き出し
【図１】
2008543431.tif 000003
【図２】
2008543431.tif 000004
【図３】
2008543431.tif 000005
【図４】
2008543431.tif 000006
【図５】
2008543431.tif 000007
【図６】
2008543431.tif 000008
【図７】
2008543431.tif 000009
【図８】
2008543431.tif 000010
【図９】
2008543431.tif 000011
【図１０】
2008543431.tif 000012
【図１１】
2008543431.tif 000013
【図１２】
2008543431.tif 000014
【図１３】
2008543431.tif 000015
【図１４】
2008543431.tif 000016
【図１５】
2008543431.tif 000017
【図１６】
2008543431.tif 000018
【図１７】
2008543431.tif 000019
【図１８】
2008543431.tif 000020
【図１９】
2008543431.tif 000021
【図２０】
2008543431.tif 000022
【国際調査報告】
2008543431.tif 000023
2008543431.tif 000024
2008543431.tif 000025